(57)【要約】  ＭＩＭＯ受信機の単一の受信チェーンが、低電力リッスンモード中に活性化される。受信されたパケットの中でレガシーショートトレーニングフィールド（Ｌ−ＳＴＦ）を検出すると、その単一の受信チェーンが、第１の周波数推定を実行し、ＭＩＭＯ受信機の１つまたは複数の追加の受信チェーンを活性化する。ＭＩＭＯ受信機は、第１の受信チェーン、およびその１つまたは複数の追加の活性化された受信チェーンを使用してその信号を受信するように最大比合成（ＭＲＣ）を使用し、ここにおいて、ＭＲＣは、第１の周波数推定に少なくとも部分的に基づいている。ＭＩＭＯ受信機は、受信されたパケットが高スループット／超高スループット（ＨＴ／ＶＨＴ）パケットであるかどうかを決定し、ＨＴ／ＶＨＴパケットではない場合、その１つまたは複数の追加の受信チェーンを不活性化することができる。１つの代替において、それらの追加の受信チェーンは、ＨＴ／ＶＨＴパケットが受信されたと決定するまで、活性化されない。
2016516347.tif 000002
【特許請求の範囲】
【請求項１】
複数の受信チェーンを含む受信機を使用して信号に関する低電力探索モードをもたらす方法であって、
前記複数の受信チェーンのうちの第１の受信チェーンで信号をリッスンすることと、
前記第１の受信チェーンによってレガシーショートトレーニングフィールド（Ｌ−ＳＴＦ）が検出されるとき、前記第１の受信チェーンに関する第１の周波数推定を実行することと、
前記Ｌ−ＳＴＦを検出すると、前記複数の受信チェーンの１つまたは複数の追加の受信チェーンを活性化することと、
レガシーロングトレーニングフィールド（Ｌ−ＬＴＦ）が受信されると、前記第１の受信チェーンおよび前記１つまたは複数の追加の受信チェーンを使用して前記信号を受信するように最大比合成（ＭＲＣ）を使用することと、前記ＭＲＣは、前記第１の受信チェーンに関する前記第１の周波数推定の結果に、少なくとも部分的に、基づいている、
を備える方法。
【請求項２】
前記第１の受信チェーンで信号をリッスンしている間、前記１つまたは複数の追加の受信チェーンの各々を低電力状態に維持すること、
をさらに備える、請求項１に記載の方法。
【請求項３】
前記１つまたは複数の追加の受信チェーンに関する第２の周波数推定を実行することと、
組み合わされた周波数推定をもたらすように前記第１の周波数推定の結果と前記第２の周波数推定の結果とを組み合わせることと、
をさらに備える請求項１に記載の方法。
【請求項４】
前記第１の周波数推定の結果を、前記１つまたは複数の追加の受信チェーンに適用すること
をさらに備える請求項１に記載の方法。
【請求項５】
前記Ｌ−ＳＴＦを検出することに応答して、前記第１の受信チェーンに関する第１のＤＣオフセット推定を実行すること
をさらに備える請求項１に記載の方法。
【請求項６】
前記１つまたは複数の追加の受信チェーンに関する第２のＤＣオフセット推定を実行すること
をさらに備える請求項５に記載の方法。
【請求項７】
複数の受信チェーンを含む受信機を使用して信号に関する低電力探索モードをもたらす方法であって、
前記複数の受信チェーンのうちの第１の受信チェーンで信号をリッスンすることと、
前記第１の受信チェーンによってレガシーショートトレーニングフィールド（Ｌ−ＳＴＦ）が検出されるとき、前記第１の受信チェーンに関する第１の周波数推定を実行することと、
前記Ｌ−ＳＴＦを検出すると、前記複数の受信チェーンの１つまたは複数の追加の受信チェーンを活性化することと、
前記信号が高スループット（ＨＴ）パケットまたは超高スループット（ＶＨＴ）パケットと合致するかどうかを決定することと、
前記信号がＨＴパケットまたはＶＨＴパケットと合致すると決定すると、前記第１の受信チェーンおよび前記１つまたは複数の追加の受信チェーンを使用して前記信号を受信するように最大比合成（ＭＲＣ）を使用することと、前記ＭＲＣは、前記第１の受信チェーンに関する前記第１の周波数推定の結果に、少なくとも部分的に、基づいている、
を備える方法。
【請求項８】
前記信号がＨＴパケットにも、ＶＨＴパケットにも合致しないと決定すると、前記１つまたは複数の追加の受信チェーンを不活性化すること、
をさらに備える請求項７に記載の方法。
【請求項９】
前記第１の受信チェーンで信号をリッスンしている間、前記１つまたは複数の追加の受信チェーンの各々を低電力状態に維持すること
をさらに備える請求項７に記載の方法。
【請求項１０】
前記第１の周波数推定の結果を前記１つまたは複数の追加の受信チェーンに適用すること
をさらに備える請求項７に記載の方法。
【請求項１１】
前記Ｌ−ＳＴＦを検出することに応答して、前記第１の受信チェーンに関する第１のＤＣオフセット推定を実行すること
をさらに備える請求項７に記載の方法。
【請求項１２】
前記信号がＨＴパケットまたはＶＨＴパケットと合致すると決定すると、前記１つまたは複数の追加の受信チェーンに関する第２のＤＣオフセット推定を実行することをさらに備える請求項１１に記載の方法。
【請求項１３】
複数の受信チェーンを含む受信機を使用して信号に関する低電力探索モードをもたらす方法であって、
前記複数の受信チェーンのうちの第１の受信チェーンで信号をリッスンすることと、
前記第１の受信チェーンによってレガシーショートトレーニングフィールド（Ｌ−ＳＴＦ）が検出されるとき、前記第１の受信チェーンに関する第１の周波数推定を実行することと、
前記信号が高スループット（ＨＴ）パケットまたは超高スループット（ＶＨＴ）パケットと合致するかどうかを決定することと、
前記信号がＨＴパケットまたはＶＨＴパケットと合致すると決定すると、前記複数の受信チェーンの１つまたは複数の追加の受信チェーンを活性化し、前記第１の受信チェーンおよび前記１つまたは複数の追加の受信チェーンを使用して前記信号を受信するように最大比合成（ＭＲＣ）を使用することと、前記ＭＲＣは、前記第１の受信チェーンに関する前記第１の周波数推定の結果に、少なくとも部分的に、基づいている 、
を備える方法。
【請求項１４】
前記信号がＨＴパケットにも、ＶＨＴパケットにも合致しないと決定すると、前記第１の受信チェーンだけで前記信号を受信すること
をさらに備える請求項１３に記載の方法。
【請求項１５】
前記第１の受信チェーンで信号をリッスンしている間、前記１つまたは複数の追加の受信チェーンの各々を低電力状態に維持すること
をさらに備える請求項１３に記載の方法。
【請求項１６】
前記第１の周波数推定の結果を前記１つまたは複数の追加の受信チェーンに適用することをさらに備える請求項１３に記載の方法。
【請求項１７】
前記Ｌ−ＳＴＦを検出することに応答して、前記第１の受信チェーンに関する第１のＤＣオフセット推定を実行すること
をさらに備える請求項１３に記載の方法。
【請求項１８】
前記信号がＨＴパケットまたはＶＨＴパケットと合致すると決定すると、前記１つまたは複数の追加の受信チェーンに関する第２のＤＣオフセット推定を実行することをさらに備える請求項１７に記載の方法。
【請求項１９】
受信機を使用して信号に関する低電力探索モードを制御するための方法であって、前記受信機は、複数の受信チェーンを含み、前記方法は、
前記受信機によって受信される信号に関連する受信信号強度指標（ＲＳＳＩ）レベルを監視することと、
前記ＲＳＳＩレベルが第１のしきい値未満である場合、最大比合成（ＭＲＣ）を使用して信号をリッスンするために前記複数の受信チェーンの各々をイネーブルにすることと、
前記ＲＳＳＩレベルが前記第１のしきい値以上である場合、信号をリッスンするために前記複数の受信チェーンのうちの１つだけをイネーブルにすることと
を備える方法。
【請求項２０】
前記ＲＳＳＩレベルが前記第１のしきい値未満である場合、前記最大比合成と共に直接スペクトル拡散（ＤＳＳＳ）／相補型符号変調（complementary code keying）（ＣＣＫ）をイネーブルにすること
をさらに備える請求項１９に記載の方法。
【請求項２１】
前記受信機がマルチストリーム受信モードで動作することを要求されるかどうかを決定し、要求されない場合、前記複数の受信チェーンのうちの１つだけをイネーブルにすること
をさらに備える請求項２０に記載の方法。
【請求項２２】
信号に関する低電力探索モードをもたらし、複数の受信チェーンを含む多入力多出力（ＭＩＭＯ）受信機であって、
前記受信機のリッスンモード中、信号をリッスンするように構成された第１の受信チェーンと、
前記第１の受信チェーンによってレガシーショートトレーニングフィールド（Ｌ−ＳＴＦ）が検出されるとき、前記第１の受信チェーンに関する第１の周波数推定を実行するための手段と、
前記第１の受信チェーンによって前記Ｌ−ＳＴＦを検出すると、前記複数の受信チェーンの１つまたは複数の追加の受信チェーンを活性化するための手段と、
前記第１の受信チェーンおよび前記１つまたは複数の追加の受信チェーンを使用して前記信号のレガシーロングトレーニングフィールド（Ｌ−ＬＴＦ）を受信するように最大比合成（ＭＲＣ）を使用するための手段と
を備えるＭＩＭＯ受信機。
【請求項２３】
前記第１の受信チェーンで信号をリッスンしている間、前記１つまたは複数の追加の受信チェーンの各々を低電力状態に維持するための手段
をさらに備える請求項２２に記載の受信機。
【請求項２４】
信号に関する低電力探索モードをもたらし、複数の受信チェーンを含む多入力多出力（ＭＩＭＯ）受信機であって、
前記受信機のリッスンモード中、信号をリッスンするように構成された第１の受信チェーンと、
前記第１の受信チェーンによってレガシーショートトレーニングフィールド（Ｌ−ＳＴＦ）が検出されるとき、前記第１の受信チェーンに関する第１の周波数推定を実行するための手段と、
前記第１の受信チェーンによって前記Ｌ−ＳＴＦを検出すると、前記複数の受信チェーンの１つまたは複数の追加の受信チェーンを活性化するための手段と、
前記信号が高スループット（ＨＴ）パケットまたは超高スループット（ＶＨＴ）パケットと合致するかどうかを決定するための手段と、
前記信号がＨＴパケットまたはＶＨＴパケットと合致すると決定すると、前記第１の受信チェーンおよび前記１つまたは複数の追加の受信チェーンを使用して前記信号を受信するように最大比合成（ＭＲＣ）を使用するための手段と
を備えるＭＩＭＯ受信機。
【請求項２５】
前記信号がＨＴパケットにも、ＶＨＴパケットにも合致しないと決定すると、前記１つまたは複数の追加の受信チェーンを不活性化するための手段
をさらに備える請求項２４に記載の受信機。
【請求項２６】
前記第１の受信チェーンで信号をリッスンしている間、前記１つまたは複数の追加の受信チェーンの各々を低電力状態に維持するための手段
をさらに備える請求項２４に記載の受信機。
【請求項２７】
信号に関する低電力探索モードをもたらし、複数の受信チェーンを含む多入力多出力（ＭＩＭＯ）受信機であって、
前記受信機のリッスンモード中、信号をリッスンするように構成された第１の受信チェーンと、
前記第１の受信チェーンによってレガシーショートトレーニングフィールド（Ｌ−ＳＴＦ）が検出されるとき、前記第１の受信チェーンに関する第１の周波数推定を実行するための手段と、
前記信号が高スループット（ＨＴ）パケットまたは超高スループット（ＶＨＴ）パケットと合致するかどうかを決定するための手段と、
前記信号がＨＴパケットまたはＶＨＴパケットと合致すると決定すると、前記複数の受信チェーンの１つまたは複数の追加の受信チェーンを活性化し、前記第１の受信チェーンおよび前記１つまたは複数の追加の受信チェーンを使用して前記信号を受信するように最大比合成（ＭＲＣ）を使用するための手段と
を備えるＭＩＭＯ受信機。
【請求項２８】
前記信号がＨＴパケットにも、ＶＨＴパケットにも合致しないと決定すると、前記第１の受信チェーンだけで前記信号を受信するための手段
をさらに備える請求項２７に記載の受信機。
【請求項２９】
前記第１の受信チェーンで信号をリッスンしている間、前記１つまたは複数の追加の受信チェーンの各々を低電力状態に維持するための手段
をさらに備える請求項２７に記載の受信機。
【請求項３０】
コンピュータ上で実行されるとき、
複数の受信チェーンのうちの第１の受信チェーンで信号をリッスンすることと、
前記第１の受信チェーンによってレガシーショートトレーニングフィールド（Ｌ−ＳＴＦ）が検出されるとき、前記第１の受信チェーンに関する第１の周波数推定を実行することと、
前記Ｌ−ＳＴＦを検出すると、前記複数の受信チェーンの１つまたは複数の追加の受信チェーンを活性化することと、
レガシーロングトレーニングフィールド（Ｌ−ＬＴＦ）が受信されるとき、前記第１の受信チェーンおよび前記１つまたは複数の追加の受信チェーンを使用して前記信号を受信するように最大比合成（ＭＲＣ）を使用することと、前記ＭＲＣは、前記第１の受信チェーンに関する前記第１の周波数推定の結果に、少なくとも部分的に、基づいている、
のプロセスを実行するコンピュータ実行可能命令を記憶している非一時的なコンピュータ可読媒体。
【請求項３１】
コンピュータ上で実行されるとき、
複数の受信チェーンのうちの第１の受信チェーンで信号をリッスンすることと、
前記第１の受信チェーンによってレガシーショートトレーニングフィールド（Ｌ−ＳＴＦ）が検出されるとき、前記第１の受信チェーンに関する第１の周波数推定を実行することと、
前記Ｌ−ＳＴＦを検出すると、前記複数の受信チェーンの１つまたは複数の追加の受信チェーンを活性化することと、
前記信号が高スループット（ＨＴ）パケットまたは超高スループット（ＶＨＴ）パケットと合致するかどうかを決定することと、
前記信号がＨＴパケットまたはＶＨＴパケットと合致すると決定すると、前記第１の受信チェーンおよび前記１つまたは複数の追加の受信チェーンを使用して前記信号を受信するように最大比合成（ＭＲＣ）を使用することと、前記ＭＲＣは、前記第１の受信チェーンに関する前記第１の周波数推定の結果に少なくとも部分的に基づいている、
のプロセスを実行するコンピュータ実行可能命令を記憶している非一時的なコンピュータ可読媒体。
【請求項３２】
コンピュータ上で実行されるとき、
複数の受信チェーンのうちの第１の受信チェーンで信号をリッスンすることと、
前記第１の受信チェーンによってレガシーショートトレーニングフィールド（Ｌ−ＳＴＦ）が検出されるとき、前記第１の受信チェーンに関する第１の周波数推定を実行することと、
前記信号が高スループット（ＨＴ）パケットまたは超高スループット（ＶＨＴ）パケットと合致するかどうかを決定することと、
前記信号がＨＴパケットまたはＶＨＴパケットと合致すると決定すると、前記複数の受信チェーンの１つまたは複数の追加の受信チェーンを活性化し、前記第１の受信チェーンおよび前記１つまたは複数の追加の受信チェーンを使用して前記信号を受信するように最大比合成（ＭＲＣ）を使用することと、前記ＭＲＣは、前記第１の受信チェーンに関する前記第１の周波数推定の結果に、少なくとも部分的に、基づいている 、
のプロセスを実行するコンピュータ実行可能命令を記憶している非一時的なコンピュータ可読媒体。
【発明の詳細な説明】
【技術分野】
【０００１】
[0001]  相互参照
本特許出願は、２０１３年３月１４日に出願され、本発明の譲受人に譲渡された「Ｍｅｔｈｏｄ  ａｎｄ  Ａｐｐａｒａｔｕｓ  ｆｏｒ  Ｓｗｉｔｃｈｉｎｇ  Ｂｅｔｗｅｅｎ  Ｌｏｗ−Ｐｏｗｅｒ，  Ｓｉｎｇｌｅ−Ｃｈａｉｎ  Ｌｉｓｔｅｎ  ａｎｄ  Ｍｕｌｔｉｐｌｅ−Ｃｈａｉｎ  Ｄｅｍｏｄｕｌａｔｉｏｎ」という名称のＳｈｉ他による米国特許出願第１３／８３１，２３８号の優先権を主張するものである。
【０００２】
[0002]  本開示は、一般に、ワイヤレス通信に関し、より詳細には、多入力多出力(ＭＩＭＯ：multiple-input multiple-output)ワイヤレス受信機において省電力化を実現するための方法および装置に関する。
【背景技術】
【０００３】
[0003]  ワイヤレス通信システムのために要求される増大する帯域幅要件の問題に対処するために、複数のユーザ端末装置が、高いデータスループットを実現しながら、チャネルリソースを共有することによって単一のアクセスポイントと通信することを可能にする様々なスキームが開発されてきた。多入力多出力（ＭＩＭＯ）技術が、次世代通信システムのための好評の技法として最近、現れた１つのそのようなアプローチを代表する。ＭＩＭＯ技術は、インスティテュートオブエレクトリカルアンドエレクトロニクスエンジニアズ（ＩＥＥＥ：Institute of Electrical and Electronics Engineers）８０２．１１規格を含む、いくつかの出現しつつあるワイヤレス通信規格において採用されている。
【０００４】
[0004]  ＭＩＭＯシステムは、データ送信のために複数（ＮT）の送信アンテナと、複数の（ＮR）の受信アンテナとを使用する。ＮT個の送信アンテナおよびＮR個の受信アンテナによって形成されるＭＩＭＯチャネルは、空間チャネルとも呼ばれる、独立したＮS個のチャネルに分解されることが可能であり、ここで、ＮS≦ｍｉｎ｛ＮT，ＮR｝である。ＭＩＭＯシステムは、複数の送信アンテナ、および複数の受信アンテナによってもたらされる追加の次元を使用して、向上したパフォーマンス（たとえば、より高いスループットおよび／またはより高い信頼性）をもたらすことができる。
【０００５】
[0005]  ＭＩＭＯ技術は、ＷＡＮシステムのスループットと範囲の両方を向上させるのに使用される。しかし、そのような向上には、より高い電力要件というコストが伴う。複数チェーン無線トランシーバの使用は、送信モードと受信モードの両方に関してＷＬＡＮシステムの消費電力を増大させる。さらに、送信は、任意の時点で行われることが可能であり、したがって、ＭＩＭＯ受信機は、任意の時点で受信する準備ができて（すなわち、送信をリッスンして（be listening for transmissions））いなければならない。さらに、ＭＩＭＯ受信機は、受信機に対応するＭＩＭＯ送信機が送信可能となる前に、関連付けられたチャネルをリッスンしなければならない。複数チェーントランシーバ（multiple-chain transceiver）の受信機チェーンのすべてをリッスンモードに維持することは、大きな消費電力という望ましくない結果をもたらす。
【０００６】
[0006]  ＩＥＥＥ８０２．１１ｎ規格が、ＭＩＭＯシステムのためのいくつかの省電力化技法を規定する。しかし、これらの技法は、いくつかの限界を抱えている。このため、ＭＩＭＯ局は、所定の時間期間にわたって単一の受信チェーンを使用して、その結果、ＭＩＭＯ局の消費電力を低減することが可能である。しかし、ＭＩＭＯ局は、ＭＩＭＯ局が、その所定の時間期間にわたって単一受信チェーンモードに入っていることを、関連付けられたアクセスポイント（ＡＰ：access point）にまず通知しなければならず、その結果、望ましくないＡＰの関与を要求する。さらに、ＭＩＭＯ受信機が、単一受信チェーンモードで動作している間、ＭＩＭＯ受信機は、リッスンモード中と活性受信（復調）モード中の両方で単一の受信チェーンを使用することになる。その結果、単一受信チェーンモードで動作しているＭＩＭＯ受信機は、活性受信モード中、最大比合成（ＭＲＣ：maximal ratio combining）に関連する利得が失われるので、レート対レンジ（ＲｖＲ：rate vs range）パフォーマンス損失を示すことになる。ＭＲＣに関連する利得は、複数の受信チェーンからの信号が組み合わされた場合に限って、もたらされることに留意されたい。さらに、ＭＩＭＯ局は、単一受信チェーンモードを動作させている間、マルチストリーム（すなわち、２以上のＮｓの））送信／受信動作をサポートすることができない。
【０００７】
[0007]  したがって、前述される問題を克服するための方法および装置を有することが望ましい。より具体的には、関連付けられたＡＰの関与を要求せず、ＭＩＭＯ範囲およびスループット利益の損失をもたらさない（またはその確率を減らす）、ＭＩＭＯ受信機における消費電力を低減するための方法および装置を有することが望ましい。
【発明の概要】
【０００８】
[0008]  したがって、本開示は、リッスン（探索（search））モード中、単一の受信機チェーンだけをイネーブルにし、その後、対応する受信（復調（demodulation））モード中、最大比合成（ＭＲＣ）処理または他のマルチチェーン合成処理に参加するよう複数の受信機チェーンをイネーブルにするＭＩＭＯ受信機について説明する。このことは、リッスンモード中、ＭＩＭＯ受信機の消費電力を有利に低減する。
【０００９】
[0009]  一実施形態によれば、低電力リッスンモード（low power listen mode）が、信号をリッスンするようＭＩＭＯ受信機の単一の受信チェーンをイネーブルにする一方で、ＭＩＭＯ受信機のその他の受信チェーンは、低減された電力（スリープ）モードに保たれることによって実施される。その単一の活性の受信チェーンが、着信するパケットのレガシーショートトレーニングフィールド（Ｌ−ＳＴＦ：legacy short training field）を検出すると、その単一の活性の受信チェーンに関する第１の周波数推定が行われ、その結果、第１の周波数推定がもたらされる。ＭＩＭＯ受信機の１つまたは複数の追加の受信チェーンが、第１の周波数推定中に活性化され、これらの追加の活性化された受信チェーンが整定（settle）することを許される。一実施形態において、第１の周波数推定は、それらの追加の活性化された受信チェーンの各々に適用される。
【００１０】
[0010]  別の実施形態において、ＭＩＭＯ受信機のそれらの追加の活性化された受信チェーンの各々に関する第２の周波数推定が行われ、その結果、第２の周波数推定がもたらされる。これらの第２の周波数推定は、組み合わされた周波数推定をもたらすように第１の周波数推定と組み合わされ、この組み合わされた周波数推定は、活性化された受信チェーンのすべてによって使用される。レガシーロングトレーニングフィールド（Ｌ−ＬＴＦ：legacy long training field）が、その後、受信される時点までには、活性化されたすべての受信チェーンによってもたらされた信号が、受信されたパケットの残りの部分の復調を円滑にするように最大比合成（ＭＲＣ）プロセスまたは別のマルチチェーン合成プロセスを使用して組み合わされる。
【００１１】
[0011]  ＭＩＭＯ受信機が、受信された信号においてＤＣオフセットを被る場合、Ｌ−ＳＴＦを検出すると、その単一の活性の受信チェーン（single active receive chain）によって第１のＤＣオフセット推定（DC offset estimate）が実行されて、その結果、その単一の活性の受信チェーンに関する第１のＤＣオフセット推定がもたらされることが可能である。追加の受信チェーンが活性化され、整定した後、それらの追加の活性化された受信チェーンの各々によって第２のＤＣオフセット推定が実行されて、その結果、追加の活性の受信チェーンに関する第２のＤＣオフセット推定がもたらされる。一部の実施形態において、ＭＩＭＯ受信機は、他の技法を使用して（たとえば、ノッチフィルタを使用して）ＤＣオフセット推定および補償プロセスを回避することが可能である。
【００１２】
[0012]  別の実施形態によれば、ＭＩＭＯ受信機の単一の受信チェーンが、信号をリッスンするように活性化される一方で、ＭＩＭＯ受信機のその他の受信チェーンは、低電力（スリープ）状態に維持される。その単一の活性の受信チェーンが、着信するパケットのレガシーショートトレーニングフィールド（Ｌ−ＳＴＦ）を検出すると、その単一の活性の受信チェーンに関する第１の周波数推定が行われて、その結果、第１の周波数推定がもたらされる。ＭＩＭＯ受信機が、受信された信号においてＤＣオフセットを被る場合、その単一の活性の受信チェーンは、Ｌ−ＳＴＦを検出すると、第１のＤＣオフセット推定も実行して、その結果、第１のＤＣオフセット推定をもたらし、その第１のＤＣオフセット推定が、その単一の活性の受信チェーンに適用される。Ｌ−ＳＴＦを検出することに応答して、ＭＩＭＯ受信機の１つまたは複数の追加の受信チェーンも活性化され、これらの追加の活性化された受信チェーンが、整定することが許される。受信されたパケットが、その後、ＨＴ／ＶＨＴパケットでないと決定された場合、それらの追加の活性化された受信チェーンは、不活性化され、そのパケットは、単一の活性の受信チェーンで受信される。しかし、受信されたパケットが、その後、ＨＴ／ＶＨＴパケットであると決定された場合、それらの追加の活性化された受信チェーンは、第１の周波数推定を使用し、（ＭＩＭＯ受信機がＤＣオフセットを被る場合）第２のＤＣオフセット推定を実行して、その結果、第２のＤＣオフセット推定をもたらし、それらの第２のＤＣオフセット推定が、それらの追加の活性の受信チェーンに適用される。次いで、それらの活性化されたすべての受信チェーンによってもたらされた受信信号が、その受信されたパケットの残りの部分の復調を円滑にするように最大比合成（ＭＲＣ）プロセスまたは別のマルチチェーン合成プロセスを使用して組み合わされる。
【００１３】
[0013]  別の実施形態において、ＭＩＭＯ受信機の単一の受信チェーンが、信号をリッスンするように活性化される一方で、ＭＩＭＯ受信機のその他の受信チェーンは、低電力（スリープ）状態に保たれる。単一の活性の受信チェーンが、着信するパケットのレガシーショートトレーニングフィールド（Ｌ−ＳＴＦ）を検出すると、その単一の活性の受信チェーンに関する第１の周波数推定が行われて、その結果、第１の周波数推定がもたらされる。ＭＩＭＯ受信機が、受信された信号においてＤＣオフセットを被る場合、その単一の活性の受信チェーンは、Ｌ−ＳＴＦを検出すると、第１のＤＣオフセット推定も実行して、その結果、第１のＤＣオフセット推定がもたらされ、その第１のＤＣオフセット推定が、その単一の活性の受信チェーンに適用される。受信されたパケットが、その後、ＨＴ／ＶＨＴパケットではないと決定された場合、そのパケットは、その単一の活性の受信チェーンで受信される（追加の受信チェーンは活性化されない）。しかし、受信されたパケットが、その後、ＨＴ／ＶＨＴパケットであると決定された場合、ＭＩＭＯ受信機の１つまたは複数の追加の受信チェーンが活性化され、これらの追加の活性化された受信チェーンが、整定することを許される。これらの追加の活性化された受信チェーンは、第１の周波数推定を使用し、（ＭＩＭＯ受信機がＤＣオフセットを被る場合）、第２のＤＣオフセット推定を実行して、その結果、第２のＤＣオフセット推定をもたらし、それらの第２のＤＣオフセット推定が、それらの追加の活性の受信チェーンに適用される。次いで、活性化されたすべての受信チェーンによってもたらされた信号が、受信されたパケットの残りの部分の復調を円滑にするように最大比合成（ＭＲＣ）プロセスまたは別のマルチチェーン合成プロセスを使用して組み合わされる。
【００１４】
[0014]  さらに別の実施形態において、受信された信号強度指示（ＲＳＳＩ：received signal strength indication）が所定のしきい値を超えたことを検出したことに応答して、前述される単一の受信機チェーンリッスンモードがイネーブルにされる。
【００１５】
[0015]  本発明は、後段の説明および図面に鑑みて、より完全に理解されよう。
【図面の簡単な説明】
【００１６】
【図１】[0016]  一実施形態による多入力多出力（ＭＩＭＯ）ワイヤレス通信受信機を示すブロック図。
【図２】[0017]  一実施形態により使用される、ＩＥＥＥ８０２．１１ａ／ｇ規格に準拠するレガシーパケット、ＩＥＥＥ８０２．１１ｎ規格に準拠する高スループット（ＨＴ：high-throughput）パケット、およびＩＥＥＥ８０２．１１ａｃ、ＩＥＥＥ８０２．１１ａｆ、またはＩＥＥＥ８０２．１１ａｈに準拠する超高スループット（ＶＨＴ：very high-throughput）パケットのフォーマットを示すブロック図。
【図３】[0018]  一実施形態による、図２によって定義されるフォーマットを有するパケットなどの信号を、図１のＭＩＭＯ受信機で受信するための方法を示す流れ図。
【図４】[0019]  別の実施形態による、図２によって定義されるフォーマットを有するパケットなどの信号を、図１のＭＩＭＯ受信機で受信するための方法を示す流れ図。
【図５】[0020]  さらに別の実施形態による、図２によって定義されるフォーマットを有するパケットなどの信号を、図１のＭＩＭＯ受信機で受信するための方法を示す流れ図。
【図６】[0021]  別の実施形態による、弱い受信信号が存在する状況で、単一受信チェーンリッスンモードをディセーブルにするための受信された信号強度指標（ＲＳＳＩ）レベルのソフトウェア監視の方法を示す流れ図。
【発明を実施するための形態】
【００１７】
[0022]  一般に、本開示は、リッスンモード中（たとえば、自動利得制御（ＡＧＣ：automatic gain control）探索動作中）、単一の受信機チェーンだけを使用し、その後、対応する受信（復調）モード中、複数の受信機チェーンをイネーブルにするＭＩＭＯ受信機について説明する。このことは、リッスンモード中、ＭＩＭＯ受信機の消費電力を有利に低減する。消費電力のこの低減は、関連するＭＩＭＯ局は、ネットワークスリープモードに入ることを許されず、長時間にわたってリッスンモードに留まらなければならない、軽いトラフィック条件から中程度のトラフィック条件までの間、大幅であり得る。
【００１８】
[0023]  特定の実施形態において、ＭＩＭＯ受信機が、単一の活性の受信チェーンを使用して信号をリッスンする一方で、ＭＩＭＯ受信機の他の受信チェーンが、低電力モード（たとえば、スリープモード）に留まる。その単一の活性の受信チェーンが、受信されたパケットのシンボルの所定のセット（たとえば、レガシーショートトレーニングフィールド（Ｌ−ＳＴＦ）のシンボル）を検出すると、その単一の活性の受信チェーンは、これらの検出されたシンボルに応答して第１の周波数推定を実行する。必要な場合（たとえば、ＤＣオフセットを除去するＤＣノッチフィルタを含まないＭＩＭＯ受信機において）、その単一の活性の受信チェーンは、これらの検出されたシンボルに応答してＤＣオフセット推定も実行する。
【００１９】
[0024]  単一の活性の受信チェーンがシンボルの所定のセットを受信するとすぐに、ＭＩＭＯ受信機のその他の受信チェーンが活性化され（すなわち、低電力モードから通常の動作電力に遷移し）、整定することを許される。これらの追加の活性化された受信チェーンは、その単一の活性の受信チェーンによって実行された第１の周波数推定を使用することが可能である。代替として、これらの追加の活性の受信チェーンは、第２の周波数推定を実行してもよく、その第２の周波数推定が、第１の周波数推定と組み合わされて、その結果、それらの活性化された受信チェーンのすべてによって使用される組み合わされた周波数推定がもたらされる。必要な場合、それらの追加の活性化された受信チェーンは、それらの受信されたシンボルに応答してＤＣオフセット推定も実行する。
【００２０】
[0025]  前述される周波数推定およびＤＣオフセット推定が完了すると、それらの活性化された受信チェーンのすべてによってもたらされた信号が、最大比合成（ＭＲＣ）プロセスまたは別のマルチチェーン合成プロセスを実施するように組み合わされて、これにより、その後に受信された信号が、より高い利得で復調される。様々な実施形態において、受信されたパケットのレガシーロングトレーニングフィールド（Ｌ−ＬＴＦ）が受信される時点までに、それらの周波数推定およびＤＣオフセット推定が完了され、マルチチェーン合成プロセスがイネーブルにされる。動作のそのような方法の利点には、以下が含まれる。すなわち、システムアクセスポイント（ＡＰ）に特別なニーズが課せられることなしに、リッスンモード中、かなりの電力が節約され、単一の受信チェーンから、より多くの活性の受信チェーンへの堅牢な切換えが可能にされ、ＭＲＣ復調の利益が実現される。
【００２１】
[0026]  別の実施形態において、ＭＩＭＯ受信機のその１つまたは複数の追加の活性化された受信チェーンが、受信されたパケットがＨＴ／ＶＨＴパケットであるかどうかが決定されるまで、整定することを許される。受信されたパケットがＨＴ／ＶＨＴパケットではない場合、それらの追加の活性化された受信チェーンは、不活性化され、そのパケットは、その単一の活性の受信チェーンで受信される。しかし、その受信されたパケットがＨＴ／ＶＨＴパケットである場合、それらの追加の活性化された受信チェーンは、第１の周波数推定を使用し、（ＭＩＭＯ受信機がＤＣオフセットを被る場合）第２のＤＣオフセット推定を実行する。前述される周波数推定およびＤＣオフセット推定が完了すると、それらの活性化された受信チェーンのすべてによってもたらされた信号が、最大比合成（ＭＲＣ）プロセスまたは別のマルチチェーン合成プロセスを実施するように組み合わされて、これにより、その後に受信された信号が、より高い利得で復調される。様々な実施形態において、受信されたパケットのＨＴ／ＶＨＴロングトレーニングフィールド（ＨＴ／ＶＨＴ−ＬＴＦ）が受信される時点までに、それらの周波数推定およびＤＣオフセット推定が完了され、マルチチェーン合成プロセスがイネーブルにされる。
【００２２】
[0027]  別の実施形態において、ＭＩＭＯ受信機の１つまたは複数の追加の受信チェーンが、レガシーショートトレーニングフィールド、Ｌ−ＳＴＦを検出したことに応答して活性化されることはない。そうではなく、単一の活性化された受信チェーンが、前述される様態で動作し、受信されたパケットがＨＴ／ＶＨＴパケットであるかどうかが決定される。受信されたパケットがＨＴ／ＶＨＴパケットではない場合、そのパケットは、その単一の活性の受信チェーンで受信される（追加の受信チェーンは活性化されない）。しかし、その受信されたパケットがＨＴ／ＶＨＴパケットである場合、ＭＩＭＯ受信機の１つまたは複数の追加の受信チェーンが活性化され、これらの追加の活性化された受信チェーンが整定することを許される。これらの追加の活性化された受信チェーンは、第１の周波数推定を使用し、（ＭＩＭＯ受信機がＤＣオフセットを被る場合）、第２のオフセット推定を実行して、その結果、第２のＤＣオフセット推定をもたらし、その第２のＤＣオフセット推定がそれらの追加の活性の受信チェーンに適用される。前述される周波数推定およびＤＣオフセット推定が完了すると、それらの活性化された受信チェーンのすべてによってもたらされた信号が、最大比合成（ＭＲＣ）プロセスまたは別のマルチチェーン合成プロセスを実施するように組み合わされて、これにより、その後に受信された信号が、より高い利得で復調される。様々な実施形態において、受信されたパケットのＨＴ／ＶＨＴロングトレーニングフィールド（ＨＴ／ＶＨＴ−ＬＴＦ）が受信される時点までに、それらの周波数推定およびＤＣオフセット推定が完了され、マルチチェーン合成プロセスがイネーブルにされる。
【００２３】
[0028]  さらに別の実施形態において、上記のリッスンモードは、受信された信号強度指示（ＲＳＳＩ）が所定のしきい値を超えたことを検出したことに応答する場合に限り、イネーブルにされる。
【００２４】
[0029]  次に、上で要約された様々な実施形態が、より詳細に説明される。
【００２５】
[0030]  図１は、本開示の一実施形態による多入力多出力（ＭＩＭＯ）ワイヤレス受信機１００のブロック図である。ＭＩＭＯ受信機１００は、複数の受信チェーン１０１1〜１０１Nと、デジタルシグナルプロセッサ（ＤＳＰ）１０２と、電力制御回路１０３とを含む。ＭＩＭＯ受信機１００は、Ｎ個の受信チェーンを含み、ここで、Ｎは、正の整数である。受信チェーン１０１1〜１０１Nの出力は、ＤＳＰ１０２に結合される。
【００２６】
[0031]  電力制御モジュール１０３は、ＤＳＰ１０２によって与えられる信号／命令に応答して動作し、ここにおいて、電力制御ロジック１０３は、受信チェーン１０１1〜１０１Nの各チェーンの電力レベル／動作モードを制御する。より具体的には、電力制御モジュール１０３は、受信チェーン１０１1〜１０１Nにイネーブル信号ＥＮ1〜ＥＮNをそれぞれ与える。電力制御モジュール１０３は、対応する受信チェーン１０１1〜１０１Nを活性化する（たとえば、通常の電力モードで動作するよう対応する受信チェーン１０１1〜１０１Nをイネーブルにする）ようにイネーブル信号ＥＮ1〜ＥＮNを活性化する。逆に、電力制御モジュール１０３は、対応する受信チェーン１０１1〜１０１Nに低電力（スリープ）モードで動作させるようにイネーブル信号ＥＮ1〜ＥＮNを不活性化する。後段でより詳細に説明されるとおり、ＭＩＭＯ受信機１００がリッスンモードにある場合、イネーブル信号ＥＮ1が活性化され、したがって、対応する受信チェーン１０１1が活性化され、イネーブル信号ＥＮ2〜ＥＮNが不活性化され、したがって、対応する受信チェーン１０１2〜１０１Nがスリープモードにある。
【００２７】
[0032]  ＤＳＰ１０２は、パターン検出ロジック（pattern detection logic）１１０と、周波数推定ロジック（frequency estimation logic）１２０と、ＤＣオフセット推定ロジック（DC offset estimation logic）１３０と、最大比合成（ＭＲＣ：maximal ratio combining）ロジック１４０とを含む。これらの要素１１０、１２０、１３０、および１４０は、本発明の様々な実施形態においてハードウェア、ソフトウェア、および／またはファームウェアによって実装され得る。ＤＳＰ１０２の様々な要素の動作は、後段でさらに詳細に説明される。
【００２８】
[0033]  図２は、本開示の様々な実施形態によるＭＩＭＯ受信機１００によって受信され得る、ＩＥＥＥ８０２．１１規格に準拠する様々なパケットのフォーマットを示すブロック図である。より具体的には、図２は、ＩＥＥＥ８０２．１１ａ／ｇ規格に準拠するレガシーパケット２００、ＩＥＥＥ８０２．１１ｎ規格に準拠する高スループット（ＨＴ：high-throughput）パケット２１０、およびＩＥＥＥ８０２．１１ａｃ、ＩＥＥＥ８０２．１１ａｆ、またはＩＥＥＥ８０２．１１ａｈに準拠する超高スループット（ＶＨＴ：very high-throughput）パケット２２０のフォーマットを示す。これらのパケット２００、２１０、および／または２２０のうちのいずれも、本開示の様々な実施形態によるＭＩＭＯ受信機１００によって受信され得る。
【００２９】
[0034]  レガシーパケット２００は、レガシーショートトレーニングフィールド（Ｌ−ＳＴＦ）２０１と、レガシーロングトレーニングフィールド（Ｌ−ＬＴＦ１＆２）２０２と、レガシー信号フィールド（Ｌ−ＳＩＧ）２０３とを含み、これらのフィールドが、パケット２００のプリアンブル（preamble）を一緒になって形成する。パケット２００は、データフィールド２０４も含む。
【００３０】
[0035]  ＨＴパケット２１０は、Ｌ−ＳＴＦフィールド２１１と、Ｌ−ＬＴＦ１＆２フィールド２１２と、Ｌ−ＳＩＧフィールド２１３と、高スループット信号フィールド（ＨＴ−ＳＩＧ１＆２）２１４と、高スループットショートトレーニングフィールド（ＨＴ−ＳＴＦ：high-throughput short training field）２１５と、高スループットロングトレーニングフィールド（ＨＴ−ＬＴＦ：high-throughput long training field）２１６とを含み、これらのフィールドが、パケット２１０のプリアンブルを一緒になって形成する。パケット２１０は、データフィールド２１７も含む。フィールド２１４、２１５、および２１６は、本明細書でＨＴフィールドと総称される。
【００３１】
[0036]  ＶＨＴパケット２２０は、Ｌ−ＳＴＦフィールド２２１と、Ｌ−ＬＴＦ１＆２フィールド２２２と、Ｌ−ＳＩＧフィールド２２３と、超高スループット信号フィールド（ＶＨＴ−ＳＩＧ  Ａ）２２４と、超高スループットショートトレーニングフィールド（ＶＨＴ−ＳＴＦ：very high-throughput short training field）２２５と、超高スループットロングトレーニングフィールド（ＶＨＴ−ＬＴＦ：high-throughput long training field）２２６とを含み、これらのフィールドが、パケット２２０のプリアンブルを一緒になって形成する。パケット２２０は、データフィールド２２７も含む。フィールド２２４、２２５、および２２６は、本明細書でＶＨＴフィールドと総称される。
【００３２】
[0037]  図３は、本発明の一実施形態による、ＭＩＭＯ受信機１００で、図２によって定義されるフォーマットを有するパケットなどの信号を受信するための方法を示す流れ図３００である。最初に、ＭＩＭＯ受信機１００は、リッスンモード（またはＡＧＣ検索モード）にあり、ここにおいて、電力制御ロジック１０３が、受信チェーン１０１1（ＥＮ1を活性化することによって）イネーブルにし、受信チェーン１０１2〜１０１Nをスリープモードにする（ＥＮ2〜ＥＮNを不活性化することによって）（３０１）。このリッスンモードにある間、ＤＳＰ１０２内のパターン検出ロジック１１０が、レガシーショートトレーニングフィールドＬ-ＳＴＦ（たとえば、パケット２００のＬ−ＳＴＦ２０１、パケット２１０のＬ−ＳＴＦ２１１、またはパケット２２０のＬ−ＳＴＦ２２１）のシンボルが受信チェーン１０１1によって受信されたかどうかを決定するように受信チェーン１０１1によって受信された信号を監視する（３０２）。
【００３３】
[0038]  レガシーショートトレーニングフィールドＬ-ＳＴＦが検出されない場合（３０２、いいえ分岐）、処理は、３０１に戻り、ＭＩＭＯ受信機１００が、低電力リッスンモードに有利に留まる。
【００３４】
[0039]  レガシーショートトレーニングフィールドＬ-ＳＴＦが検出された場合（３０２、いいえ分岐（No branch））、周波数推定ロジック１２０が、受信チェーン１０１1によって受信されたレガシーショートトレーニングフィールドＬ-ＳＴＦのシンボルに応答して、第１の周波数推定を実行することを開始する（３０３）。一実施形態において、第１の周波数推定は、１つまたは複数の細かい推定が後に続く１つまたは複数の粗い推定によって実装され得る。その結果、周波数推定ロジック１２０は、受信チェーン１０１1によって受信されたＬ−ＳＴＦのシンボルに応答して、第１の周波数推定をもたらす。
【００３５】
[0040]  さらに、ＤＣオフセット推定ロジック１３０が、受信チェーン１０１1によって受信されたレガシーショートトレーニングフィールドＬ-ＳＴＦのシンボルに応答して、ＤＣオフセット推定（ＡＧＣ探索としても知られる）を実行する（３０４）。その結果、ＤＣオフセット推定ロジック１３０は、受信チェーン１０１1によって受信されたレガシーショートトレーニングフィールドＬ-ＳＴＦのシンボルに応答して、第１のＤＣオフセット推定をもたらす。ＭＩＭＯ受信機１００が、ＤＣオフセットを除去するＤＣノッチフィルタを含んでいるとした場合、ＤＣオフセット推定ロジック１３０は、要求されないことに留意されたい。
【００３６】
[0041]  レガシーショートトレーニングフィールドＬ-ＳＴＦがパターン検出ロジック１１０によって検出されていると決定すると、ＤＳＰ１０２は、ＭＩＭＯ受信機１００がリッスンモードから活性受信モードに遷移すべきことを電力制御ロジック１０３に知らせる（たとえば、電力制御ロジック１０３にウェイクアップ信号ＷＵを送信することによって）。これに応答して、電力制御ロジック１０３は、スリープ状態にある受信チェーン１０１2〜１０１Nのうちの１つまたは複数を、対応する信号ＥＮ1〜ＥＮNを活性化することによって活性化する（３０５）。特定の実施形態において、電力制御ロジック１０３は、ウェイクアップ信号ＷＵに応答して、スリープ状態にある受信チェーン１０１2〜１０１Nのすべてを活性化する。図３で、３０５は、３０３および３０４の後に続くものの、これらの要素３０３、３０４、および３０５の３つすべては、レガシーショートトレーニングフィールドＬ-ＳＴＦを検出することに応答して、実質的に同時に開始されるものと理解されることに留意されたい。
【００３７】
[0042]  イネーブルにされた受信チェーン１０１2〜１０１Nが整定することを許される一方で、３０３中に第１の周波数推定が決定され、３０４中に第１のＤＣオフセット推定が決定される（３０５）。
【００３８】
[0043]  新たに活性化された受信チェーン１０１2〜１０１Nが整定された後、これらの受信チェーン１０１2〜１１０Nは、ステップ３０３中に受信チェーン１０１1によって決定された第１の周波数推定を使用することが可能である。代替として、これらの活性化された受信チェーン１０１2〜１０１Nは、レガシーショートトレーニングフィールドＬ−ＳＴＦのシンボルに応答して、第２の周波数推定を実行して、その結果、第２の周波数推定のセットをもたらしてもよい（３０６）。これらの第２の周波数推定は、組み合わされた周波数推定をもたらすように第１の周波数推定と組み合わされ、その組み合わされた周波数推定が、活性化された受信チェーン１０１1〜１０１Nのすべてによって使用される（３０６）。活性化された受信チェーン１０１2〜１０１NがＤＣオフセットを被る場合、ＤＣオフセット推定ロジック１３０が、イネーブルにされた受信チェーン１０１1〜１０１Nによって受信されたレガシーショートトレーニングフィールドＬ-ＳＴＦのシンボルに応答して、第２のＤＣオフセット推定を実行する（３０７）。その結果、ＤＣオフセット推定ロジック１３０は、イネーブルにされた受信チェーン１０１1〜１０１Nの各々に関する第２のＤＣオフセット推定をもたらす。この場合も、ＭＩＭＯ受信機１００が、ＤＣオフセットを除去するＤＣノッチフィルタを含む場合、３０７は、実行されなくてもよい。
【００３９】
[0044]  レガシーロングトレーニングフィールドＬ-ＳＴＦ（たとえば、パケット２００のＬ−ＬＴＦ２０２、パケット２１０のＬ−ＬＴＦ２１２、またはパケット２２０のＬ−ＬＴＦ２２２）のシンボルが受信される（たとえば、Ｌ−ＬＴＦ処理中）時点までには、ＤＳＰ１０２が、最大比合成（ＭＲＣ）ロジック１４０をイネーブルにし（３０９）、その結果、ＭＩＭＯ受信機１００が、イネーブルにされた受信チェーン１０１1〜１０１Nのすべてを使用して完全な復調を実行することを可能にする。すなわち、イネーブルにされたＭＲＣロジック１４０は、受信チェーン１０１1〜１０１Nの各々によって受信された信号を組み合わせ、ここにおいて、受信チェーン１０１1〜１０１Nの各々は、３０３中に決定された第１の周波数推定、または３０６中に決定された組み合わされた周波数推定、ならびに３０４中、および３０７中に決定された対応するＤＣオフセット推定を使用する。その結果、レガシーロングトレーニングフィールドＬ-ＬＴＦ、および受信されたパケットの残りの部分は、最大比合成プロセスに関連する高い利得で有利に復調される。このため、複数の受信チェーンでの処理は、ＨＴ−ＳＩＧフィールドまたはＶＨＴ−ＳＩＧフィールドがその後に受信された場合、継続する。
【００４０】
[0045]  図４は、本発明の代替の実施形態による、ＭＩＭＯ受信機１００で、図２によって定義されるフォーマットを有するパケットなどの信号を受信するための方法を示す流れ図４００である。図４の方法は、図３の方法と同様であるので、図３と図４における同様の要素には、同様の参照符号が付けられる。このため、図４の方法は、図３に関連して前述された要素３０１〜３０５を含む。
【００４１】
[0046]  図４の実施形態において、受信チェーン１０１2〜１０１Nが起動して、整定するのに必要とされる時間は、レガシーロングトレーニングフィールドＬ-ＬＴＦが受信される時点までに、これらの受信チェーン１０１2〜１０１NがＭＲＣを実装することを可能にするは、長すぎる。この事例では、これらの追加の受信チェーン１０１2〜１０１Nは、前述される様態で３０５中に活性化される。しかし、これらの追加の受信チェーン１０１2〜１０１Nは、受信されたパケットがＨＴパケットまたはＶＨＴパケットである場合（たとえば、ＨＴ−ＳＩＧフィールドまたはＶＨＴ−ＳＩＧフィールドが検出された場合）に限って、ＭＲＣを実装するのに使用される。
【００４２】
[0047]  ４０８において、パターン検出ロジック１１０が、高スループット（ＨＴ）フィールド（たとえば、パケット２１０のＨＴ−ＳＩＧ１＆２フィールド２１４、ＨＴ−ＳＴＦ２１５、またはＨＴ−ＬＴＦ２１６）または超高スループット（ＶＨＴ）フィールド（たとえば、パケット２２０のＶＨＴ−ＳＩＧ  Ａ２２４、ＶＨＴ−ＳＴＦ２２５、またはＶＨＴ−ＬＴＦ２２６）が受信されたかどうかを決定するように受信チェーン１０１1〜１０１Nによって受信された信号を監視する。ＨＴフィールドもＶＨＴフィールドも検出されない場合（４０８、いいえ分岐）、受信チェーン１０１2〜１０１Nは、不活性化され（スリープモードに戻る）、ＭＩＭＯ受信機１００は、単一受信チェーンモードで受信チェーン１０１1によりパケットを受信することを継続する（４０９）。
【００４３】
[0048]  しかし、ＨＴフィールドまたはＶＨＴフィールドがパターン検出ロジック１１０によって検出された場合（４０８、はい分岐（Yes branch））、活性化された受信チェーン１０１2〜１１０Nは、ステップ３０３中に受信チェーン１０１1によって決定された第１の周波数推定を使用する。活性化された受信チェーン１０１2〜１０１NがＤＣオフセットを被る場合、ＤＣオフセット推定ロジック１３０が、イネーブルされた受信チェーン１０１1〜１０１Nによって受信された受信されたＨＴ／ＶＨＴショートトレーニングフィールド（たとえば、ＨＴパケット２１０のＨＴ−ＳＴＦ２１５、またはＶＨＴパケット２２０のＶＨＴ−ＳＴＦ２２５）のシンボルに応答して、第２のＤＣオフセット推定を実行する（４１０）。その結果、ＤＣオフセット推定フィールド１３０は、イネーブルにされた受信チェーン１０１1〜１０１Nの各々に関するＤＣオフセット推定をもたらす。この場合も、ＭＩＭＯ受信機１００が、ＤＣオフセットを除去するＤＣノッチフィルタを含む場合、４１０は、実行されなくてもよい。
【００４４】
[0049]  ＤＳＰ１０２が、最大比合成（ＭＲＣ）ロジック１４０をイネーブルにし（４１１）、その結果、ＭＩＭＯ受信機１００が、イネーブルにされた受信チェーン１０１1〜１０１Nのすべてを使用して完全な復調を実行することを可能にする。すなわち、イネーブルにされたＭＲＣロジック１４０が、受信チェーン１０１1〜１０１Nの各々によって受信された信号を組み合わせ、ここにおいて、受信チェーン１０１1〜１０１Nの各々は、３０３中に決定された第１の周波数推定、ならびに３０４中、および４１０中に決定された対応するＤＣオフセット推定を使用する。その結果、ＨＴ／ＶＨＴロングトレーニングフィールドＬＴＦ（たとえば、パケット２１０のＨＴ−ＬＴＦ２１６、またはパケット２２０のＶＨＴ−ＬＴＦ２２６）、および受信されたパケットの残りの部分が、最大比合成プロセスに関連する高い利得で有利に復調される。
【００４５】
[0050]  図４の方法は、受信チェーン１０１2〜１０１Nが起動して、整定する追加の時間（たとえば、レガシーロングトレーニングフィールドＬ−ＬＴＦおよびレガシー信号フィールドＬ−ＳＩＧの持続時間）を有利に与えることに留意されたい。さらに、図４の方法は、ＨＴパケットまたはＶＨＴパケット（たとえば、パケット２１０および２２０）を検出することに応答する場合に限り、ＭＲＣロジック１４０をイネーブルにする。
【００４６】
[0051]  図５は、本発明のさらに別の実施形態による、ＭＩＭＯ受信機１００で、図２によって定義されるフォーマットを有するパケットなどの信号を受信するための方法を示す流れ図５００である。図５によって示されるとおり、図３に関連して前述された３０１〜３０４が最初に実行される。単一の活性化された受信チェーン１０１1でレガシーショートトレーニングフィールドＬ−ＳＴＦのシンボルをリッスンし（３０１）、単一の活性化された受信チェーン１０１1でＬ−ＳＴＦを検出し（３０２）、単一の活性化された受信チェーン１０１1に関する第１の周波数推定（３０３）、および単一の活性化された受信チェーン１０１1に関する必要な第１のＤＣオフセット推定（３０４）を実行した後、パターン検出ロジック１１０が、受信されたパケットがＨＴ／ＶＨＴパケットであるかどうかを決定するように単一の活性化された受信チェーン１０１1によって受信されたシンボルを監視する（５０７）（たとえば、ＨＴ−ＳＩＧフィールド２１４またはＶＨＴ−ＳＩＧフィールド２２４が検出されたかどうかを決定する）。  図３および図４によって示される方法とは異なり、図５の方法は、レガシーショートトレーニングフィールド（Ｌ−ＳＴＦ）を検出したことに応答して、その他の受信チェーン１０１2〜１０１Nを活性化することはないことに留意されたい。
【００４７】
[0052]  ＨＴフィールドもＶＨＴフィールドも検出されない場合（５０７、いいえ分岐）、ＭＩＭＯ受信機１０１は、単一受信チェーンモードで、受信チェーン１０１1によりパケットを受信することを継続する（５０８）。
【００４８】
[0053]  しかし、ＨＴフィールドまたはＶＨＴフィールドがパターン検出ロジック１１０によって検出された場合（５０７、はい分岐）、ＤＳＰ１０２は、ＭＩＭＯ受信機１００がリッスンモードから活性受信モードに遷移すべきことを電力制御ロジック１０３に知らせる（たとえば、電力制御ロジック１０３にウェイクアップ信号ＷＵを送信することによって）。これに応答して、電力制御ロジック１０３は、スリープ状態にある受信チェーン１０１2〜１０１Nのうちの１つまたは複数を、対応する信号ＥＮ1〜ＥＮNを活性化することによって活性化する（５０９）。特定の実施形態において、電力制御ロジック１０３は、ウェイクアップ信号ＷＵに応答して、スリープ状態にある受信チェーン１０１2〜１０１Nのすべてを活性化する。新たに活性化された受信チェーン１０１2〜１０１Nが、整定することを可能にされ、第１の周波数推定（３０３で決定された）が、新たに活性化された受信チェーン１０１2〜１０１Nの各々に適用され、着信するパケットを受信するのに使用される（５０９）。
【００４９】
[0054]  活性化された受信チェーン１０１2〜１０１NがＤＣオフセットを被る場合、ＤＣオフセット推定ロジック１３０が、イネーブルにされた活性化された受信チェーン１０１1〜１０１Nによって受信されたＨＴパケット２１０の受信されたＨＴ／ＶＨＴショートトレーニングフィールド（たとえば、ＨＴパケット２１０のＨＴ−ＳＴＦ２１５、またはＶＨＴパケット２２０のＶＨＴ−ＳＴＦ２２５）のシンボルに応答して、第２のＤＣオフセット推定を実行する（５１０）。その結果、ＤＣオフセット推定ロジック１３０が、イネーブルにされた受信チェーン１０１1〜１０１Nの各々に関するＤＣオフセット推定をもたらす。この場合も、ＭＩＭＯ受信機１００が、ＤＣオフセットを除去するＤＣノッチフィルタを含む場合、５１０は、実行されなくてもよい。
【００５０】
[0055]  ＤＳＰ１０２が、最大比合成（ＭＲＣ）ロジック１４０をイネーブルにし（５１１）、その結果、ＭＩＭＯ受信機１００が、イネーブルにされた受信チェーン１０１1〜１０１Nのすべてを使用して完全な復調を実行することを可能にする。すなわち、イネーブルにされたＭＲＣロジック１４０は、受信チェーン１０１1〜１０１Nの各々によって受信された信号を組み合わせ、ここにおいて、受信チェーン１０１1〜１０１Nの各々は、３０３中に決定された第１の周波数推定、ならびに３０４中、および５１０中に決定された対応するＤＣオフセット推定を使用する。その結果、ＨＴ／ＶＨＴロングトレーニングフィールドＬＴＦ（たとえば、パケット２１０のＨＴ−ＬＴＦ２１６、またはパケット２２０のＶＨＴ−ＬＴＦ２２６）、および受信されたパケットの残りの部分は、最大比合成プロセスに関連する高い利得で有利に復調される。
【００５１】
[0056]  図５の方法は、それらの追加の受信チェーン１０１2〜１０１Nが、受信されたパケットのＨＴフィールドまたはＶＨＴフィールドを検出した後に初めて、活性化されるので、追加の省電力化をもたらし得ることに留意されたい。
【００５２】
[0057]  図６は、ＭＩＭＯ受信機１００内のソフトウェアによって維持される受信信号強度指標（ＲＳＳＩ：received signal strength indicator）統計に応答して、図１〜図５に関連して前述される単一受信チェーンリッスンモードをイネーブルにするかどうかを決定するための方法を示す流れ図６００である。この実施形態において、システムソフトウェア（たとえば、ＤＳＰ１０２によって実装されるソフトウェア）が、ＭＩＭＯ受信機１００によって受信された信号に関連するＲＳＳＩレベルを決定するようにＲＳＳＩ統計を監視する（６０１）。ＲＳＳＩレベルが第１の所定のレベルより低い（たとえば、−８５ｄＢｍ未満）であるかどうかについての第１の決定が行われる（６０２）。検出されたＲＳＳＩレベルが第１の所定のレベルより低い場合（６０２、はい分岐）、ＭＩＭＯ受信機１００の受信チェーン１０１1〜１０１Nのすべてが活性化され、ＭＲＣロジック１４０内でＭＲＣ直接スペクトル拡散（ＤＳＳＳ：direct sequence spread Spectrum）／コンプリメンタリキーコーディング（complementary key coding）（ＣＣＫ）がイネーブルにされ、前述される単一受信チェーンリッスンモードがディセーブルにされる（６０３）。
【００５３】
[0058]  検出されたＲＳＳＩレベルが第１の所定のレベルより低くない場合（６０２、いいえ分岐）、検出されたＲＳＳＩレベルが第２の所定のレベルより低い（たとえば、−６０ｄＢｍ未満）かどうかについての第２の決定が行われる（６０４）。検出されたＲＳＳＩレベルが第２の所定のレベルより低い場合（６０４、はい分岐）、ＭＩＭＯ受信機１００の受信チェーン１０１1〜１０１Nのすべてが活性化され、ＭＲＣロジック１４０内でＭＲＣ  ＤＳＳＳ／ＣＣＫがオフにされ（比較的高いＲＳＳＩレベルに鑑みてＤＳＳＳ／ＣＣＫが必要でないため）、前述される単一受信チェーンリッスンモードがイネーブルにされる（６０５）。
【００５４】
[0059]  検出されたＲＳＳＩレベルが第２の所定のレベルより低くはない場合（６０４、いいえ分岐）、ＭＩＭＯ受信機１００が、マルチストリーム（multi-stream）（２Ｓ）受信動作を実行することを要求されるかどうかについての判定が行われる（６０７）。ＭＩＭＯ受信機１００が、マルチストリーム受信動作を実行することを要求される場合（６０７、はい分岐）、ＭＩＭＯ受信機１００の受信チェーン１０１1〜１０１Nのすべてが活性化され、ＭＲＣロジック１４０内のＭＲＣ  ＤＳＳＳ／ＣＣＫがオフにされ、前述される単一受信チェーンリッスンモードがイネーブルにされる（６０５）。
【００５５】
[0060]  しかし、ＭＩＭＯ受信機１００がマルチストリーム受信動作を実行することを要求されない場合（６０７、いいえ分岐）、ＭＩＭＯ受信機１００の受信チェーンのうちの１つだけ（たとえば、受信チェーン１０１1）が活性化され（６０８）、前述の単一受信チェーンリッスンモードがディセーブルにされる（これらの条件において、その他の受信チェーンが活性化されないため）。
【００５６】
[0061]  前述の実施形態は、リッスンモード中、単一の受信チェーン（たとえば、受信チェーン１０１1）が最初に活性化され、残りの受信チェーン（たとえば、１０１2〜１０１N）は最初、不活性化されることを示すものの、他の実施形態において、リッスンモード中、複数の受信チェーンが最初に活性化され得るものと理解される。一般に、リッスンモード中、Ｎ個の受信チェーンが最初に活性化され、受信モード中、Ｍ個の受信チェーンが活性化され、ここにおいて、Ｍは、Ｎより大きい。たとえば、リッスンモード中、２つの受信チェーン１０１1〜１０１2が活性化されることが可能であり、受信モード中、すべての受信チェーン１０１1〜１０１Nが活性化されることが可能である。省電力化は、リッスンモード中に活性化される受信チェーンの数が増えるにつれ、低下するものとさらに理解される。
【００５７】
[0062]  さらに、前述される実施形態は、最大受信合成（ＭＲＣ）を実施するものの、他の実施形態において、ＭＲＣの代わりに他のマルチストリーム合成プロセスが実施されることも可能であるものと理解される。
【００５８】
[0063]  当業者は、情報および信号が、様々な異なる技術および技法のいずれを使用しても表され得ることを理解するであろう。たとえば、前段の説明全体にわたって言及され得るデータ、命令、コマンド、情報、信号、ビット、シンボル、およびチップは、電圧、電流、電磁波、磁界もしくは磁性粒子、光場もしくは光粒子、または以上の任意の組合せによって表され得る。
【００５９】
[0064]  当業者は、本明細書で開示される様々な例示的な論理ブロック、モジュール、回路、およびアルゴリズムステップが、電子ハードウェア、コンピュータソフトウェア、または電子ハードウェアおよびコンピュータソフトウェアの組合せとして実装され得ることをさらに認識するであろう。ハードウェアとソフトウェアのこの互換性を明確に示すのに、様々な例示的な構成要素、ブロック、モジュール、回路、およびステップが、それらの機能の点で、一般的に前段で説明されてきた。そのような機能がハードウェアとして実装されるか、またはソフトウェアとして実装されるかは、システム全体に課せられる特定の応用上、および設計上の制約に依存する。当業者は、説明された機能を、特定の各用途のために様々な様態で実装することが可能であるが、そのような実装上の決定が本開示の範囲からの逸脱を生じるものと解釈されるべきではない。
【００６０】
[0065]  本明細書で開示される実施形態に関連して説明される様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートのゲートもしくはトランジスタロジック、ディスクリートのハードウェア構成要素、または本明細書で説明される機能を実行するように設計された以上の任意の組合せで実装される、または実行されることが可能である。汎用プロセッサは、マイクロプロセッサであり得るが、代替において、プロセッサは、任意の従来のプロセッサ、コントローラ、マイクロコントローラ、または状態マシンであってもよい。また、プロセッサは、コンピューティングデバイスの組合せとして、たとえば、ＤＳＰおよびマイクロプロセッサの組合せ、複数のマイクロプロセッサ、ＤＳＰコアと連携する１つもしくは複数のマイクロプロセッサ、または他の任意のそのような構成として実装されることも可能である。
【００６１】
[0066]  本明細書で開示される実施形態に関連して説明される方法またはアルゴリズムのステップは、ハードウェアとして直接に、プロセッサによって実行されるソフトウェアモジュールとして、またはこの２つの組合せとして実施されることが可能である。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている他の任意の形態の記憶媒体の中に存在することが可能である。例示的な記憶媒体は、プロセッサが、その記憶媒体から情報を読み取ること、およびその記憶媒体に情報を書き込むことができるようにプロセッサに結合される。代替において、記憶媒体は、プロセッサと一体化していてもよい。そのプロセッサおよびその記憶媒体は、ＡＳＩＣ内に存在することが可能である。そのＡＳＩＣは、ユーザ端末装置内に存在することが可能である。代替において、そのプロセッサおよびその記憶媒体は、ユーザ端末装置内のディスクリートの構成要素として存在してもよい。
【００６２】
[0067]  １つまたは複数の例示的な実施形態において、説明される機能は、ハードウェアとして、ソフトウェアとして、ファームウェアとして、または以上の任意の組合せとして実装され得る。ソフトウェアとして実装される場合、それらの機能は、１つまたは複数の命令またはコードとしてコンピュータ可読媒体上に記憶される、またはコンピュータ可読媒体上に介して伝送されることが可能である。コンピュータ可読媒体は、１つの場所から別の場所にコンピュータプログラムを移すことを円滑にする任意の媒体を含むコンピュータ記憶媒体と通信媒体の両方を含む。記憶媒体は、コンピュータによってアクセスされ得る任意の利用可能な媒体であり得る。例として、限定としてではなく、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令またはデータ構造の形態で所望されるプログラムコードを担持する、または記憶するのに使用されることが可能であり、コンピュータによってアクセスされ得る他の任意の媒体を備えることが可能である。さらに、任意の接続が、コンピュータ可読媒体と適切に呼ばれる。たとえば、ソフトウェアが、同軸ケーブル、光ファイバケーブル、より対線、デジタル加入者線（ＤＳＬ）、または赤外線、無線、およびマイクロ波などのワイヤレス技術を使用してウェブサイト、サーバ、または他の遠隔ソースから伝送される場合、その同軸ケーブル、光ファイバケーブル、より対線、ＤＳＬ、または赤外線、無線、およびマイクロ波などのワイヤレス技術が、媒体の定義に含められる。本明細書で使用されるディスク（ｄｉｓｋ）およびディスク（ｄｉｓｃ）には、コンパクトディスク（ｄｉｓｃ）（ＣＤ）、レーザディスク（登録商標）（ｄｉｓｃ）、光ディスク（ｄｉｓｃ）、デジタルバーサタイルディスク（ｄｉｓｃ）（ＤＶＤ）、フロッピー（登録商標）ディスク（ｄｉｓｋ）、およびブルーレイ（登録商標）ディスク（ｄｉｓｃ）があり、ここで、ディスク（ｄｉｓｋ）は、通常、データを磁気的に再現するのに対して、ディスク（ｄｉｓｃ）は、レーザを用いてデータを光学的に再現する。また、前述の媒体の組合せも、コンピュータ可読媒体の範囲に含められなければならない。
【００６３】
[0068]  開示される実施形態の以上の説明は、当業者が本開示を作成すること、または使用することを可能にするように与えられる。これらの実施形態の様々な変形が、当業者には直ちに明白となり、本明細書で定義される一般的な原理は、本開示の趣旨または範囲を逸脱することなく、他の実施形態に適用されることが可能である。このため、本開示は、本明細書で示される実施形態に限定されることは意図されず、本明細書で開示される原理および新規な特徴と合致する最も広い範囲を与えられるべきものとする。
【図１】
2016516347.tif 000003
【図２】
2016516347.tif 000004
【図３】
2016516347.tif 000005
【図４】
2016516347.tif 000006
【図５】
2016516347.tif 000007
【図６】
2016516347.tif 000008
【国際調査報告】
2016516347.tif 000009
2016516347.tif 000010
2016516347.tif 000011
2016516347.tif 000012
2016516347.tif 000013
2016516347.tif 000014